(57)【要約】略開いたＣ字状マウスピース１０と、インサート１２とを備える前歯部用デュアルアーチ型歯科印象用トレーを提供する。マウスピース１０は、前面１６と、後面１８と、上縁部３８と、下縁部４２と、左端部と、右端部とを有し、後面１８は、左端部から右端部まで延びる凹面部２６を有し、凹面部２６は、略長手方向に延びる湾曲溝２８を有し、左端部及び右端部は、それぞれコネクタを含む。インサート１２は、湾曲フレーム５２を含む前部４８を有し、湾曲フレーム５２は、左端部及び右端部を有し、湾曲フレーム５２は、湾曲溝２８にぴったりと嵌入する。インサート１２は、湾曲フレーム５２から湾曲フレーム５２により画定される領域の内側に延びるメッシュ材を備え、湾曲フレームの左端部及び右端部は、それぞれコネクタを含む。インサート左コネクタは、マウスピース左コネクタに接続し、インサート右コネクタは、マウスピース右コネクタと接続する。【選択図】図１
2015529106.tif 000002
【特許請求の範囲】
【請求項１】
前歯部用デュアルアーチ型歯科印象用トレーであって、
前面（１６）と、後面（１８）と、上縁部（３８）と、下縁部（４２）と、左端部と、右端部とを有する略開いたＣ字状マウスピース（１０）であって、前記後面（１８）は、前記左端部から前記右端部まで延びる凹面部（２６）を有し、該凹面部（２６）は、略長手方向に延びる湾曲溝（２８）を有し、前記左端部及び前記右端部は、それぞれコネクタを含む、Ｃ字状のマウスピース（１０）と、
湾曲フレームを含む前部（４８）を有するインサート（１２）であって、前記湾曲フレームは、左端部及び右端部を有し、前記湾曲フレームは、前記湾曲溝（２８）にぴったりと嵌入するように構成され、該インサート（１２）は、前記湾曲フレームから該湾曲フレームにより画定される領域の内側に延びるメッシュ材を備え、前記湾曲フレームは、それぞれコネクタを含む左端部及び右端部を有し、該インサート左コネクタは、前記マウスピース左コネクタに接続するように構成され、該インサート右コネクタは、前記マウスピース右コネクタと接続するように構成されている、インサート（１２）と、
を備える、前歯部用デュアルアーチ型歯科印象用トレー。
【請求項２】
前記マウスピース（１０）は、前記マウスピース左側部（２０）と前記マウスピース右側部（２２）との間に中間部（３６）を有し、該中間部（３６）における前記マウスピース（１０）の前記後面（１８）は、前記下縁部（４２）と前記上縁部（３８）との間に延びる凹状部を形成する、請求項１に記載の前歯部用デュアルアーチ型歯科印象用トレー。
【請求項３】
前記インサート（１２）は、後部（５０）を有し、該後部（５０）の中間部（３６）には、略半球状部（６４）が位置し、該半球状部（６４）は、前記インサート（１２）の前記前部（４８）には向かない開口（７４）を画定し、前記インサート（１２）は、頂面及び底面を画定し、前記半球状部（６４）は、前記頂面に沿って前記開口（７４）から前記インサート（１２）の前記前部（４８）に向かって延びるスリット（７２）を有する、請求項１に記載の前歯部用デュアルアーチ型歯科印象用トレー。
【請求項４】
前記半球状部（６４）は、前記底面に沿って前記開口（７４）から前記インサート（１２）の前記前部（４８）に向かって延びるスリット（７２）を有し、前記インサート（１２）は対称的である、請求項３に記載の前歯部用デュアルアーチ型歯科印象用トレー。
【請求項５】
前記半球状部（６４）は、プラスチック材料で作製されている単一片の部材であり、前記メッシュ材は、前記フレームと前記半球状部（６４）との間に延びている、請求項３に記載の前歯部用デュアルアーチ型歯科印象用トレー。
【請求項６】
前記半球状部（６４）は、２つの半部分から形成され、各半部分は、プラスチック材料で作製され、前記メッシュ材は、前記フレームと前記組み付けられた半球状部（６４）との間に延びる、請求項３に記載の前歯部用デュアルアーチ型歯科印象用トレー。
【請求項７】
前記マウスピース（１０）は、前記前面（１６）から延びるハンドル（２４）を含む、請求項１に記載の前歯部用デュアルアーチ型歯科印象用トレー。
【請求項８】
前記ハンドル（２４）は、略水平方向に前記溝（２８）と位置合わせされ、前記マウスピース（１０）の断面は、前記ハンドル（２４）及び前記溝（２８）の領域において強化されている、請求項７に記載の前歯部用デュアルアーチ型歯科印象用トレー。
【請求項９】
前記マウスピース（１０）は、金属材料で作製され、再使用されることを意図されている、請求項１に記載の前歯部用デュアルアーチ型歯科印象用トレー。
【請求項１０】
前記フレームは、可撓性プラスチック材料で作製され、前記メッシュ材は、ナイロン材料で作製されている、請求項１に記載の前歯部用デュアルアーチ型歯科印象用トレー。
【請求項１１】
前記マウスピース（１０）の前記コネクタは、前記マウスピースの第１の端部及び前記マウスピースの第２の端部において切欠きを有し、各切欠きは、前向きの表面を画定し、前記インサート（１２）の前記コネクタは、前記インサートの第１の端部に、略後向きのノッチ（６０）を含み、前記第２の端部に、略後向きのノッチ（６０）を含み、各ノッチ（６０）は、前記それぞれの切欠きによって形成されるそれぞれの前向きの表面に係合するように構成されている、請求項１に記載の前歯部用デュアルアーチ型歯科印象用トレー。
【請求項１２】
前記左側部（２０）にある前記切欠きは、前記溝（２８）を貫通し、前記右側部（２２）にある前記切欠きは、前記溝（２８）を貫通する、請求項１１に記載の前歯部用デュアルアーチ型歯科印象用トレー。
【請求項１３】
各切欠きは、略馬蹄状のくぼみ（３０）を形成する、請求項１２に記載の前歯部用デュアルアーチ型歯科印象用トレー。
【請求項１４】
前記インサート（１２）は、頂面及び底面を有し、前記フレーム（５２）の前記左端部及び前記右端部にある前記コネクタは、前記頂面及び前記底面に隆起した突起（６６）をそれぞれ有し、該隆起した突起（６６）は、前記溝（２８）と締り嵌めをもたらす、請求項１に記載の前歯部用デュアルアーチ型歯科印象用トレー。
【請求項１５】
前記インサート（１２）は対称的である、請求項１に記載の前歯部用デュアルアーチ型歯科印象用トレー。
【請求項１６】
前記溝（２８）は、前記マウスピース（１０）を上顎前歯部用アーチ部と下顎前歯部用アーチ部とに境界付け、前記上顎用アーチ部は、前記下顎用アーチ部よりも大きい高さを有する、請求項１に記載の前歯部用デュアルアーチ型歯科印象用トレー。
【請求項１７】
前記マウスピース（１０）は、中間部を有するとともに、前記上縁部（３８）の前記中間部に凹部（３４）を有し、前記下縁部（４２）は、前記中間部において僅かに凹状である、請求項１に記載の前歯部用デュアルアーチ型歯科印象用トレー。
【請求項１８】
前記コネクタは、水平安定具及び垂直安定具を含む、請求項１に記載の前歯部用デュアルアーチ型歯科印象用トレー。
【発明の詳細な説明】
【技術分野】
【０００１】
本発明は、包括的には、歯科用器具の分野に関し、より詳細には、歯科補綴物の作製を補助するように、歯の印象、特に前歯部の印象を採得する歯科用器具に関する。
【０００２】
本願は、２０１２年８月１６日に出願されたニュージーランド国特許出願第６０１８８７号、及び２０１３年８月８日に出願されたニュージーランド国特許出願第６１４０６９号の優先権を主張する。上記特許出願の内容全体は、双方とも、引用することにより本明細書の一部をなす。
【背景技術】
【０００３】
歯科印象用トレーは、患者の歯にフィットするような解剖学的形状になっている固形物体（solid shape）として形成される。次に、多くの場合接着剤を用いて、印象材がトレーに固定される。その後、印象材は患者の口内に配置され、患者が、印象材が硬化する（sets）まで印象材を咬みしめる。次に、トレーは、硬化した印象材とともに患者の口から取り出され、患者の歯列模型を形成するための型として用いられる。
【０００４】
歯科印象用トレーは、上顎歯列弓若しくは下顎歯列弓の印象を採得するシングルアーチ型トレー、又は、同時に上顎歯列弓及び下顎歯列弓の双方の印象並びに咬合記録を採得するデュアルアーチ型トレーとすることができる。
【０００５】
完全な印象、型、及び歯科補綴物を作成するには、デュアルアーチ型トレーの安定性は重要である。現行の咬合トレーは、その構成材料及び／又は設計に起因して、この安定性を欠いている。
【発明の概要】
【発明が解決しようとする課題】
【０００６】
本発明の目的は、水平面及び垂直面の双方において、向上した解剖学的フィットをもたらす、前歯部用デュアルアーチ型歯科印象用トレーを提供することである。
【０００７】
本発明の更なる目的は、精密かつ忠実な印象を作製する前歯部用デュアルアーチ型歯科印象用トレーを提供することである。
【０００８】
本発明のまた更なる目的は、印象を採得する間に要求される安定性をもたらす、前歯部用デュアルアーチ型歯科印象用トレーを提供することである。
【課題を解決するための手段】
【０００９】
本発明は、略開いたＣ字状マウスピースと、インサートとを備える前歯部用デュアルアーチ型歯科印象用トレーを提供する。マウスピースは、前面と、後面と、上縁部と、下縁部と、左端部と、右端部とを有し、前記後面は、前記左端部から前記右端部まで延びる凹面部を有し、該凹面部は、略長手方向に延びる湾曲溝を有し、前記左端部及び前記右端部は、それぞれコネクタを含む。インサートは、湾曲フレームを含む前部を有し、前記湾曲フレームは、左端部及び右端部を有し、前記湾曲フレームは、前記湾曲溝にぴったりと嵌入するように構成され、該インサートは、前記湾曲フレームから該湾曲フレームにより画定される領域の内側に延びるメッシュ材を備え、前記湾曲フレームの左端部及び右端部は、それぞれコネクタを含み、該インサート左コネクタは、前記マウスピース左コネクタに接続するように構成され、該インサート右コネクタは、前記マウスピース右コネクタと接続するように構成されている。
【図面の簡単な説明】
【００１０】
【図１】本発明の１つの実施形態に係るトレーの上面図である。
【図２】図１のトレーの斜視図である。
【図３】図１のトレーの正面図である。
【図４】図１のトレーの側断面図である。
【図５】図１のトレーの背面図である。
【図６】図１のトレーに収められる、本発明の１つの実施形態に係るインサートの斜視図である。
【発明を実施するための形態】
【００１１】
本発明は、前歯部用デュアルアーチ型歯科印象用トレーを提供する。この前歯部用デュアルアーチ型印象用トレーは、再使用可能なトレーと、図１に示されているような略開いたＣ字状マウスピース１０と、図６に示されているような使い捨てインサート１２とを備える。
【００１２】
１つの実施形態において、マウスピース１０は固体金属で作製される。マウスピース１０は、前面１６、後面１８、左側部２０、及び右側部２２を有する本体１４を備える。前面１６から前方に、ハンドル２４が延びている。後面１８によって、左側部２０と右側部２２との間に延びる凹面部２６が形成されている。後面１８の水平方向内法に沿って、溝２８が延びている。溝２８は、図２に示されているように、トレーの両側部上に加工された（modified）馬蹄状のくぼみ３０において終端する。溝２８は、図５に示されているように、トレーの上顎前歯部用アーチ部３２と下顎前歯部用アーチ部３４とを境界付ける。上顎前歯部用アーチ部３２は、図３に示されているように、その上縁部３８の中間部３６に、上唇小帯を受け入れる凹部（dip）３４を有する。下顎前歯部用アーチ部３４は、図３に示されているように、下縁部４２の中間部３６において、下唇小帯を受け入れるように僅かに凹んでいる（４０）。トレーの中間部３６は、上縁部３８と下縁部４２との間に延びる垂直方向の凹面４４を有する。この垂直方向の凹面４４は、２つの機能を有する。一方の機能は、前歯の切歯縁がトレー１０に接触して歪みを引き起こすことを回避することである。垂直方向の凹面４４の他方の機能は、機械的係止部として働き、印象材の垂直方向の動きを防止することである。
【００１３】
１つの実施形態において、ハンドル２４の位置は、中央溝２８の真裏である。マウスピース１０は、ハンドル２４において、かつ溝２８に沿って補強することができる。ハンドル２４は、トレー１０を配置及び制御するキャリアとして機能する。患者の唇がマウスピース１０を覆うように閉じられると、印象材が硬化する間のトレーの自己位置調整も可能になる。
【００１４】
１つの実施形態において、インサート１２は、前部４８及び後部５０を画定する。インサート１２は、湾曲フレーム５２を備える。このフレーム５２は、左側部５４及び右側部５６と、メッシュ材５８と、左側部５４及び右側部５６にある２つのノッチ、すなわちコネクタ６０、６２と、舌部用球状部６４とを有する。インサート１２のフレーム５２は、トレー１０に存在する中央溝２８に完全に挿入することができる。トレー１０の溝２８は、トレー１０の平面にインサート１２を係止する。これにより、印象材を装着するとき、更には患者が咬みしめるときにインサート１２が安定化する。インサート１２の側部にある主ノッチ、すなわち略後向きの表面６０が、トレー１０における馬蹄状のくぼみ３０の前向きの表面６３に係止する。ノッチ６０がくぼみ３０に係止することにより、インサート１２がトレー１０から外れることが防止される。印象材が装着されるとき及び患者が咬みしめるときの、印象材の動きも防止される。副ノッチ６２は、インサート１２が垂直に動くのを抑制する。副ノッチ６２は、フレーム５２の左側部５４及び右側部５６の双方において、上面６８及び下面７０に隆起した突起６６を有することができる。隆起した突起６６は、溝２８内で締り嵌めをもたらす。１つの実施形態において、舌部用球状部６４は、略半球状部を画定する。舌部用球状部６４は、メッシュ材５８上に単一ユニットとして成型される。代替的には、組み合せることができる２つの別個の対称的なユニットとして成型してもよい。端を正面に見ると、舌部用球状部６４は、半球形状を有する。舌部用球状部６４は、中間部に裂け目、すなわちスリット７２を有する。この裂け目７２は、上唇小帯を受け入れる。舌部用球状部６４の下部は、上部と同一としてもよいことが理解される。さらに、舌部用球状部６４は、インサート１２の前部４８に向かない開口７４を形成する。舌部用球状部６４は、印象材の更なる係止をもたらし、印象材の流れを、歯の内側及び周囲の軟組織を正確に複製するように方向付ける。また、舌部用球状部６４は、印象材の流れを援助して、その結果の印象が、最小の陰部を形成するようになっている。また舌部用球状部６４は、患者の口の形状（features）を複製する場合の印象材の使用量を低減させる。これにより、印象の中央部が５倍軽量になり、それにより、咬合記録の歪みが防止される。舌部用球状部６４は、印象材が硬化する間、患者の舌部のための領域を提供し、印象が歪まない。また、図６はビード７６を示している。ビード７６は、舌部用球状部６４のシールされた半部分（halves）間のシールによって形成することができる。ビード７６は、補強材、すなわちメッシュ材５８を保持する手段を提供することができる。
【００１５】
メッシュ材５８は、印象材と一体となり、均一で薄い防水膜を形成する。防水膜は、上顎歯列弓用印象を下顎歯列弓用印象から分離し、ひいては受動的な（passive）咬合記録を形成する。インサート１２に含まれるメッシュ材５８の表面積は、通常要求される表面積よりも大きい。この追加の表面積により、インサート１２が保持することができる印象材の体積が増加する。インサート１２の体積が増加することで、上歯と下歯とが咬合記録中に重なり合っている場合の上歯と下歯との間のパッシブな咬合関係に起因して、より高い精密性が可能になる。それにより、解剖学的に精密な咬合記録が提供される。
【００１６】
インサート１２は、対称的に設計することができ、そのため、インサート１２は、任意の特定の面を上又は下に向き付ける必要がないことが理解される。このような対称性は、使い捨てインサート１２を再使用可能なトレー１０に組み付けることの容易性を高める。
【００１７】
この機構は、インサート１２がトレー１０に嵌入し、ノッチ６０、６２がトレー１０の馬蹄状のくぼみ３０に機械的に係止することを確実にするように働く。印象材は、インサート１２のメッシュ領域の両側に装着される。トレー１０は、凹部３４を上顎用アーチ部３２の中央に位置合わせすることにより、患者の口に挿入される。患者は、印象材を咬みしめ、トレー１０を覆うように唇を閉じる。また、患者は、唇を用いてトレー１０のハンドル２４を保持する。
【００１８】
印象材が硬化すると、トレー１０を患者の口から取り出し、殺菌後に歯科技工所に送る。トレーは、洗浄されると、別のインサートとともに使用する準備ができる。
【００１９】
本発明を特定の用途に関して記載したが、本願は、本質的に例示であり、本発明の可能な用途を限定することは意図していない。本発明の趣旨及び範囲から逸脱することなく、変更及び変形を行うことができることが理解される。本開示は、本発明の例示として意図されており、本発明を、図示及び記載した特定の実施形態に限定する意図はないことが理解される。本開示は、添付特許請求の範囲によって、特許請求の範囲の範囲内にある全ての変更形態を包含することが意図される。
【図１】
2015529106.tif 000003
【図２】
2015529106.tif 000004
【図３】
2015529106.tif 000005
【図４】
2015529106.tif 000006
【図５】
2015529106.tif 000007
【図６】
2015529106.tif 000008
【手続補正書】
【提出日】平成27年8月11日(2015.8.11)
【手続補正１】
【補正対象書類名】特許請求の範囲
【補正対象項目名】全文
【補正方法】変更
【補正の内容】
【特許請求の範囲】
【請求項１】
前歯部用デュアルアーチ型歯科印象用トレーであって、
前面（１６）と、後面（１８）と、上縁部（３８）と、下縁部（４２）と、左端部と、右端部とを有する略開いたＣ字状マウスピース（１０）であって、前記後面（１８）は、前記左端部から前記右端部まで延びる凹面部（２６）を有し、該凹面部（２６）は、略長手方向に延びる湾曲溝（２８）を有し、前記左端部及び前記右端部は、それぞれコネクタを含む、Ｃ字状のマウスピース（１０）と、
湾曲フレームを含む前部（４８）を有するインサート（１２）であって、前記湾曲フレームは、左端部及び右端部を有し、前記湾曲フレームは、前記湾曲溝（２８）にぴったりと嵌入するように構成され、該インサート（１２）は、前記湾曲フレームから該湾曲フレームにより画定される領域の内側に延びるメッシュ材を備え、前記湾曲フレームは、それぞれコネクタを含む左端部及び右端部を有し、該インサート左コネクタは、前記マウスピース左コネクタに接続するように構成され、該インサート右コネクタは、前記マウスピース右コネクタと接続するように構成されている、インサート（１２）と、
を備える、前歯部用デュアルアーチ型歯科印象用トレー。
【請求項２】
前記マウスピース（１０）は、前記マウスピース左側部（２０）と前記マウスピース右側部（２２）との間に中間部（３６）を有し、該中間部（３６）における前記マウスピース（１０）の前記後面（１８）は、前記下縁部（４２）と前記上縁部（３８）との間に延びる凹状部を形成する、請求項１に記載の前歯部用デュアルアーチ型歯科印象用トレー。
【請求項３】
前記インサート（１２）は、後部（５０）を有し、該後部（５０）の中間部（３６）には、略半球状部（６４）が位置し、該半球状部（６４）は、前記インサート（１２）の前記前部（４８）には向かない開口（７４）を画定し、前記インサート（１２）は、頂面及び底面を画定し、前記半球状部（６４）は、前記頂面に沿って前記開口（７４）から前記インサート（１２）の前記前部（４８）に向かって延びるスリット（７２）を有する、請求項１に記載の前歯部用デュアルアーチ型歯科印象用トレー。
【請求項４】
前記半球状部（６４）は、前記底面に沿って前記開口（７４）から前記インサート（１２）の前記前部（４８）に向かって延びるスリット（７２）を有し、前記インサート（１２）は対称的である、請求項３に記載の前歯部用デュアルアーチ型歯科印象用トレー。
【請求項５】
前記半球状部（６４）は、プラスチック材料で作製されている単一片の部材であり、前記メッシュ材は、前記フレームと前記半球状部（６４）との間に延びている、請求項３に記載の前歯部用デュアルアーチ型歯科印象用トレー。
【請求項６】
前記半球状部（６４）は、２つの半部分から形成され、各半部分は、プラスチック材料で作製され、前記メッシュ材は、前記フレームと前記組み付けられた半球状部（６４）との間に延びる、請求項３に記載の前歯部用デュアルアーチ型歯科印象用トレー。
【請求項７】
前記マウスピース（１０）は、前記前面（１６）から延びるハンドル（２４）を含み、前記ハンドル（２４）は、略水平方向に前記溝（２８）と位置合わせされ、前記マウスピース（１０）の断面は、前記ハンドル（２４）及び前記溝（２８）の領域において強化されている、請求項１に記載の前歯部用デュアルアーチ型歯科印象用トレー。
【請求項８】
前記マウスピース（１０）は、金属材料で作製され、再使用されることを意図され、前記フレームは、可撓性プラスチック材料で作製され、前記メッシュ材は、ナイロン材料で作製されている、請求項１に記載の前歯部用デュアルアーチ型歯科印象用トレー。
【請求項９】
前記マウスピース（１０）の前記コネクタは、前記マウスピースの第１の端部及び前記マウスピースの第２の端部において切欠きを有し、各切欠きは、前向きの表面を画定し、前記インサート（１２）の前記コネクタは、前記インサートの第１の端部に、略後向きのノッチ（６０）を含み、前記第２の端部に、略後向きのノッチ（６０）を含み、各ノッチ（６０）は、前記それぞれの切欠きによって形成されるそれぞれの前向きの表面に係合するように構成され、前記左側部（２０）にある前記切欠きは、前記溝（２８）を貫通し、前記右側部（２２）にある前記切欠きは、前記溝（２８）を貫通し、各前記切欠きは、略馬蹄状のくぼみ（３０）を形成する、請求項１に記載の前歯部用デュアルアーチ型歯科印象用トレー。
【請求項１０】
前記インサート（１２）は、頂面及び底面を有し、前記フレーム（５２）の前記左端部及び前記右端部にある前記コネクタは、前記頂面及び前記底面に隆起した突起（６６）をそれぞれ有し、該隆起した突起（６６）は、前記溝（２８）と締り嵌めをもたらし、前記コネクタは、水平安定具及び垂直安定具を含む、請求項１に記載の前歯部用デュアルアーチ型歯科印象用トレー。
【請求項１１】
前記インサート（１２）は対称的であり、前記溝（２８）は、前記マウスピース（１０）を上顎前歯部用アーチ部と下顎前歯部用アーチ部とに境界付け、前記上顎用アーチ部は、前記下顎用アーチ部よりも大きい高さを有し、前記マウスピース（１０）は、中間部を有するとともに、前記上縁部（３８）の前記中間部に凹部（３４）を有し、前記下縁部（４２）は、前記中間部において僅かに凹状である、請求項１に記載の前歯部用デュアルアーチ型歯科印象用トレー。
【国際調査報告】
2015529106.tif 000009
2015529106.tif 000010
2015529106.tif 000011